(57)【要約】【課題】放送波を利用した広告コンテンツの放送と、ネットワークを介した広告コンテンツとの配信とを連携させることで、広告コンテンツに対するユーザの接触を制御する。【解決手段】放送波を用いて放送されるコンテンツの視聴状況を示す第１の情報を、識別情報が関連付けられた外部装置から、当該識別情報ごとに取得する取得部と、前記識別情報ごとに取得された前記第１の情報と、放送波を用いて放送される第１の広告コンテンツの放送実績または放送予定を示す情報とに基づき、前記第１の広告コンテンツの視聴状況を示す第２の情報を生成する生成部と、指定された条件に対応する前記第２の情報を抽出する抽出部と、前記第１の広告コンテンツに関連付けられた、ネットワークを介して配信される第２の広告コンテンツを特定するための情報として、抽出された前記第２の情報を出力する出力部と、を備える、情報処理装置。【選択図】図１
2020205597.tif 000002
【特許請求の範囲】
【請求項１】
放送波を用いて放送されるコンテンツの視聴状況を示す第１の情報を、識別情報が関連付けられた外部装置から、当該識別情報ごとに取得する取得部と、
前記識別情報ごとに取得された前記第１の情報と、放送波を用いて放送される第１の広告コンテンツの放送実績または放送予定を示す情報とに基づき、前記第１の広告コンテンツの視聴状況を示す第２の情報を生成する生成部と、
指定された条件に対応する前記第２の情報を抽出する抽出部と、
前記第１の広告コンテンツに関連付けられた、ネットワークを介して配信される第２の広告コンテンツを特定するための情報として、抽出された前記第２の情報を出力する出力部と、
を備える、情報処理装置。
【請求項２】
前記第１の情報は、放送波を用いて放送されるコンテンツの視聴履歴を含み、
前記生成部は、前記第１の情報と、前記第１の広告コンテンツの放送実績を示す情報とを比較することで、当該第１の広告コンテンツの視聴実績を示す前記第２の情報を生成する、請求項１に記載の情報処理装置。
【請求項３】
前記第１の情報は、放送波を用いて放送されるコンテンツの視聴予測を含み、
前記生成部は、前記第１の情報と、前記第１の広告コンテンツの放送予定を示す情報とを比較することで、当該第１の広告コンテンツの視聴予測を示す前記第２の情報を生成する、請求項１に記載の情報処理装置。
【請求項４】
前記第２の情報の出力先から前記識別情報ごとに通知される、前記第２の広告コンテンツの配信状況を、当該第２の広告コンテンツに対して関連付けられた前記第１の広告コンテンツの視聴状況に関連付けることで、当該第２の情報を更新する更新部を備える、請求項１に記載の情報処理装置。
【請求項５】
クライアントからネットワークを介して取得された識別情報に基づき、放送波を用いて放送される第１の広告コンテンツの視聴状況を示す情報を取得する取得部と、
前記第１の広告コンテンツに対して関連付けられた、ネットワークを介して配信される第２の広告コンテンツを、取得された前記視聴状況を示す情報に基づき特定する特定部と、
を備える、情報処理装置。
【請求項６】
前記特定部は、前記視聴状況を示す情報に基づき特定した前記第２の広告コンテンツの中から、あらかじめ決められた条件に基づき、前記クライアントへの配信対象の候補となる前記第２の広告コンテンツを抽出する、請求項５に記載の情報処理装置。
【請求項７】
前記特定部は、前記視聴状況を示す情報に基づき特定した前記第２の広告コンテンツの中から、視聴回数が所定の条件を満たす前記第１の広告コンテンツに関連付けられた前記第２の広告コンテンツを、前記候補として抽出する、請求項６に記載の情報処理装置。
【請求項８】
前記特定部は、前記視聴状況を示す情報に基づき特定した前記第２の広告コンテンツの中から、視聴回数が０回である前記第１の広告コンテンツに対して関連付けられた前記第２の広告コンテンツを、前記候補として抽出する、請求項７に記載の情報処理装置。
【請求項９】
前記特定部は、前記視聴状況を示す情報に基づき特定した前記第２の広告コンテンツの中から、当該前記第２の広告コンテンツそれぞれが配信対象とするユーザの属性情報と、前記識別情報に関連付けられたユーザの属性情報とに基づき、前記候補を抽出する、請求項６に記載の情報処理装置。
【請求項１０】
前記視聴状況を示す情報は、前記第１の広告コンテンツの視聴実績を含む、請求項６に記載の情報処理装置。
【請求項１１】
前記特定部は、前記視聴状況を示す情報に含まれた、前記第１の広告コンテンツが視聴された時期に応じて、当該第１の広告コンテンツに関連付けられた前記第２の広告コンテンツを特定する、請求項１０に記載の情報処理装置。
【請求項１２】
前記視聴状況を示す情報は、前記第１の広告コンテンツの視聴予測を含む、請求項６に記載の情報処理装置。
【請求項１３】
前記特定部は、前記視聴状況を示す情報に含まれた、前記第１の広告コンテンツの視聴が予測される時期に応じて、当該第１の広告コンテンツに関連付けられた前記第２の広告コンテンツを特定する、請求項１２に記載の情報処理装置。
【請求項１４】
特定された前記第２の広告コンテンツを、前記クライアントに配信する配信部を備える、請求項５に記載の情報処理装置。
【請求項１５】
前記識別情報の取得元である前記クライアントへの前記第２の広告コンテンツの配信状況を含む情報と、当該識別情報とを関連付けて、前記視聴状況を示す情報の取得元に通知する通知部を備える、請求項１４に記載の情報処理装置。
【請求項１６】
前記特定部は、取得された前記視聴状況を示す情報に基づき、前記第１の広告コンテンツに関連付けられた前記第２の広告コンテンツを特定できなかった場合に、当該第２の広告コンテンツに関連付けられた他の第２の広告コンテンツを特定する、請求項５に記載の情報処理装置。
【請求項１７】
外部装置から取得した識別情報を、ネットワークを介してサーバに通知する通知部と、
放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得する取得部と、
を備える、情報処理装置。
【請求項１８】
プロセッサが、
外部装置から取得した識別情報を、ネットワークを介してサーバに通知することと、
放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得することと、
を含む、情報処理方法。
【請求項１９】
コンピュータに、
外部装置から取得した識別情報を、ネットワークを介してサーバに通知することと、
放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得することと、
を実行させる、プログラム。
【発明の詳細な説明】
【技術分野】
【０００１】
本開示は、情報処理装置、情報処理方法、及びプログラムに関する。
【背景技術】
【０００２】
広告コンテンツをユーザに接触させるための手法として、放送波を利用して静止画像や動画像等の広告コンテンツを放送することで、ユーザに対してテレビ受像機を介して当該広告コンテンツを接触させる方法が一般的に知られている。
【０００３】
また、近年では、当該広告コンテンツをユーザに接触させるための手法として、例えば、所謂バナー広告等のように、当該広告コンテンツをインターネット等のネットワークを介して配信する手法が確立されてきている。特に、ネットワークを介した広告コンテンツの配信については、配信先となるユーザに応じて、配信対象となる広告コンテンツを制御する仕組みについても検討されている。例えば、特許文献１には、ユーザの消費行動に応じて、関連した広告コンテンツがネットワークを介して配信されるように制御する仕組みの一例が開示されている。
【先行技術文献】
【特許文献】
【０００４】
【特許文献１】特開２００９−１４０２５５号公報
【発明の概要】
【発明が解決しようとする課題】
【０００５】
一方で、放送波を利用した広告コンテンツに対するユーザの接触は、当該広告コンテンツが放送されている時間帯に、該当するチャンネルの放送をユーザが視聴するか否かに依存するため、意図的に制御することが困難である場合が少なくない。
【０００６】
そこで、近年では、放送波を利用した放送とネットワークを介した配信とのように異なるメディアを利用した広告展開（所謂クロスメディアでの広告展開）が注目されており、特に、広告コンテンツに対してユーザをより効率的に接触させることが可能な仕組みが求められている。
【０００７】
そこで、本開示では、放送波を利用した広告コンテンツの放送と、ネットワークを介した広告コンテンツとの配信とを連携させることで、広告コンテンツに対するユーザの接触を制御することが可能な、情報処理装置、情報処理方法、及びプログラムを提案する。
【課題を解決するための手段】
【０００８】
本開示によれば、放送波を用いて放送されるコンテンツの視聴状況を示す第１の情報を、識別情報が関連付けられた外部装置から、当該識別情報ごとに取得する取得部と、前記識別情報ごとに取得された前記第１の情報と、放送波を用いて放送される第１の広告コンテンツの放送実績または放送予定を示す情報とに基づき、前記第１の広告コンテンツの視聴状況を示す第２の情報を生成する生成部と、指定された条件に対応する前記第２の情報を抽出する抽出部と、前記第１の広告コンテンツに関連付けられた、ネットワークを介して配信される第２の広告コンテンツを特定するための情報として、抽出された前記第２の情報を出力する出力部と、を備える、情報処理装置が提供される。
【０００９】
また、本開示によれば、クライアントからネットワークを介して取得された識別情報に基づき、放送波を用いて放送される第１の広告コンテンツの視聴状況を示す情報を取得する取得部と、前記第１の広告コンテンツに対して関連付けられた、ネットワークを介して配信される第２の広告コンテンツを、取得された前記視聴状況を示す情報に基づき特定する特定部と、を備える、情報処理装置が提供される。
【００１０】
また、本開示によれば、外部装置から取得した識別情報を、ネットワークを介してサーバに通知する通知部と、放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得する取得部と、を備える、情報処理装置が提供される。
【００１１】
また、本開示によれば、プロセッサが、外部装置から取得した識別情報を、ネットワークを介してサーバに通知することと、放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得することと、を含む、情報処理方法が提供される。
【００１２】
また、本開示によれば、コンピュータに、外部装置から取得した識別情報を、ネットワークを介してサーバに通知することと、放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得することと、を実行させる、プログラムが提供される。
【発明の効果】
【００１３】
以上説明したように本開示によれば、放送波を利用した広告コンテンツの放送と、ネットワークを介した広告コンテンツとの配信とを連携させることで、広告コンテンツに対するユーザの接触を制御することが可能な、情報処理装置、情報処理方法、及びプログラムが提供される。
【００１４】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１５】
【図１】本開示の一実施形態に係る情報処理システムの概要について説明するための説明図である。
【図２】同実施形態に係る情報処理システムのシステム構成の一例について説明するための説明図である。
【図３】同実施形態に係る情報処理システムの機能構成の一例について示したブロック図である。
【図４】同実施形態に係る情報処理システムの一連の処理の流れの一例について示したフローチャートである。
【図５】同実施形態に係る情報処理システムの利用シーンの一例について説明するための説明図である。
【図６】同実施形態に係る情報処理システムの一連の処理の流れの他の一例について示したフローチャートである。
【図７】同実施形態に係る情報処理システムの実施例について説明するための説明図である。
【図８】同実施形態に係る情報処理装置のハードウェア構成の一例を示した図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１７】
なお、説明は以下の順序で行うものとする。
１．概要
２．構成
２．１．システム構成
２．２．機能構成
３．処理
３．１．視聴実績に基づく制御の一例
３．２．視聴予測に基づく制御例
４．変形例
４．１．変形例１：記録情報の一例
４．２．変形例２：配信対象の特定方法の一例
４．３．変形例３：番組内で提示された情報の利用
４．４．変形例４：放送報告コンテンツへの誘導
５．実施例
６．ハードウェア構成
７．まとめ
【００１８】
＜１．概要＞
まず、本開示の一実施形態に係る情報処理システムの特徴をよりわかりやすくするために、本実施形態に係る情報処理システムの課題について整理したうえで、当該情報処理システムの概要について説明する。
【００１９】
放送波を利用して放送される広告コンテンツ（以降では、「放送広告コンテンツ」と称する場合がある）を評価するための指標として、実際に放送広告コンテンツを広告の配信対象（以降では、「ユーザ」と称する場合がある）に視聴してもらい、当該放送広告コンテンツを覚えているか否かを調査することで算出される、所謂「ＣＭ認知率」という指標が知られている。
【００２０】
このＣＭ認知率の調査の結果から、放送広告コンテンツに対するユーザの接触回数と、当該放送広告コンテンツのＣＭ認知率との間に相関性があることがわかっている。具体的には、放送広告コンテンツに対する接触回数が多いほど、当該放送広告コンテンツのＣＭ認知率がより高くなる傾向にあり、ある回数を超えるとＣＭ認知率が収束する傾向にある。そのため、このような傾向から、例えば、ユーザに広告を認知してもらうために、広告コンテンツに対してユーザを接触させるべき回数を統計的に算出することが可能な場合もあることがわかっている。
【００２１】
また、近年では、当該広告コンテンツをユーザに接触させるための手法として、例えば、所謂バナー広告等のように、当該広告コンテンツをインターネット等のネットワークを介して配信する手法が確立されてきている。特に、ネットワークを介して広告コンテンツを配信については、配信先となるユーザに応じて、配信対象となる広告コンテンツを制御する仕組みについても検討されている。なお、以降の説明では、インターネット等のネットワークを介して配信される広告コンテンツを、「Ｗｅｂ広告コンテンツ」と称する場合がある。また、以降の説明では、放送広告コンテンツとＷｅｂ広告コンテンツとを特に区別しない場合には、単に「広告コンテンツ」と称する場合がある。
【００２２】
特に、近年では、広告コンテンツに対してユーザを効率的に接触させるための仕組みとして、所謂クロスメディアでの広告展開が注目されており、放送広告コンテンツの放送と、Ｗｅｂ広告コンテンツの配信との連携が特に注目されている。
【００２３】
クロスメディアでの広告展開については、例えば、放送広告コンテンツとＷｅｂ広告コンテンツ（バナー広告）との間の比率と、購入意向の創出効果との間の関係の調査結果から、より好適な比率が存在し得ることも分かっている。
【００２４】
一方で、放送波を利用した広告コンテンツ（即ち、放送広告コンテンツ）に対するユーザの接触は、当該広告コンテンツが放送されている時間帯に、該当するチャンネルの放送をユーザが視聴するか否かに依存するため、意図的に制御することが困難である場合が少なくない。
【００２５】
そこで、本実施形態に係る情報処理装置では、放送波を利用した広告コンテンツの放送と、ネットワークを介した広告コンテンツの配信とをより緊密に連携させることで、対象となる広告コンテンツに対するユーザの接触を制御可能とする仕組みを提供する。
【００２６】
例えば、図１は、本実施形態に係る情報処理システムの概要について説明するための説明図である。図１において、参照符号ｖ１１は、放送広告コンテンツを模式的に示している。また、参照符号ｖ３１は、Ｗｅｂ広告コンテンツを模式的に示しており、図１に示す例では、例えば、ブラウザ等により参照したＷｅｂページ上の広告スペースに提示される所謂バナー広告を模式的に示している。なお、図１に示した、Ｗｅｂ広告コンテンツｖ３１の提示方法はあくまで一例であり、必ずしも、所謂バナー広告には限定されないものとする。
【００２７】
本実施形態に係る情報処理システムでは、例えば、テレビ受像機や、放送波を利用して放送されるコンテンツ（放送コンテンツ）を記録媒体に記録する装置（所謂レコーダ）等で記録された視聴履歴を利用し、放送広告コンテンツの視聴状況を把握する。なお、放送広告コンテンツの視聴状況としては、例えば、ユーザが、対象となる放送広告コンテンツを、いつ視聴したか、何回視聴したか等のような所謂視聴実績が挙げられる。
【００２８】
本実施形態に係る情報処理システムは、把握した放送広告コンテンツの視聴実績に基づき、該当するユーザに対するＷｅｂ広告コンテンツの配信を制御することで、所望の広告コンテンツに対するユーザの接触を制御する。
【００２９】
例えば、本実施形態に係る情報処理システムは、所定の広告コンテンツについて、認識した放送広告コンテンツに対するユーザの接触回数に基づき、当該ユーザが操作するネットワーク端末（例えば、スマートフォン等）に対するＷｅｂ広告コンテンツの配信回数を制御する。
【００３０】
例えば、情報処理システムは、放送広告コンテンツと、当該放送広告コンテンツに関連するＷｅｂ広告コンテンツとのそれぞれへのユーザの接触回数の合計が所定回数となるように、当該Ｗｅｂ広告コンテンツの配信回数を制御してもよい。この場合には、情報処理システムは、放送広告コンテンツへのユーザの接触回数（換言すると、視聴回数）の認識結果に応じて、当該ユーザの端末への当該Ｗｅｂ広告コンテンツの配信回数を制御してもよい。なお、情報処理システムは、各端末を操作するユーザを識別するための情報については、例えば、クッキー等の制御情報を利用することで当該端末から取得すればよい。
【００３１】
また、情報処理システムは、放送広告コンテンツに対するユーザの接触回数に対して、Ｗｅｂ広告コンテンツへの当該ユーザの接触回数が所定の割合となるように、当該Ｗｅｂ広告コンテンツの配信回数を制御してもよい。
【００３２】
また、他の一例として、情報処理システムは、放送広告コンテンツに対するユーザの接触時期に応じて、当該放送広告コンテンツに関連するＷｅｂ広告コンテンツへの当該ユーザの接触時期を制御してもよい。
【００３３】
例えば、情報処理システムは、ある放送広告コンテンツへのユーザの接触時期から所定の期間内に、当該放送広告コンテンツに関連付けられたＷｅｂ広告コンテンツに当該ユーザが接触するように、当該Ｗｅｂ広告コンテンツの配信時期を制御してもよい。この場合には、情報処理システムは、放送広告コンテンツへのユーザの接触時期（換言すると、視聴日時）の認識結果に応じて、当該ユーザの端末への当該Ｗｅｂ広告コンテンツの配信時期を制御してもよい。
【００３４】
以上のように、本実施形態に係る情報処理システムは、Ｗｅｂ広告コンテンツの配信を制御対象とすることで、対応する広告コンテンツへのユーザの接触を制御する（なお、放送広告コンテンツの放送は非制御対象となる）。即ち、本実施形態に係る情報処理装置は、放送広告コンテンツの放送と、Ｗｅｂ広告コンテンツの配信とをより緊密に連携させることで、対象となる広告コンテンツに対するユーザの接触を制御している。このような制御により、本実施形態に係る情報処理システムは、所望の広告コンテンツに対して、当該広告コンテンツがターゲットとするユーザが効率的に接触するように制御することが可能となる。以降では、本実施形態に係る情報処理システムについて、更に詳しく説明する。
【００３５】
＜２．構成＞
［２．１．システム構成］
本実施形態に係る情報処理システムの構成について説明する。まず、図２を参照して、本実施形態に係る情報処理システムの、システム構成の一例について説明する。図２は、本実施形態に係る情報処理システムのシステム構成の一例について説明するための説明図である。
【００３６】
図２に示すように、本実施形態に係る情報処理システムは、放送受信機７０と、ユーザ端末５０と、ログ管理サーバ１０と、広告配信サーバ３０とを含む。放送受信機７０と、ユーザ端末５０と、ログ管理サーバ１０と、広告配信サーバ３０とは、ネットワークｎ１を介して接続される。
【００３７】
ネットワークｎ１は、例えば、インターネット、専用線、ＬＡＮ（Ｌｏｃａｌ  Ａｒｅａ  Ｎｅｔｗｏｒｋ）、または、ＷＡＮ（Ｗｉｄｅ  Ａｒｅａ  Ｎｅｔｗｏｒｋ）のように、異なる装置間を接続するネットワークであれば、その態様は限定されない。また、ネットワークｎ１は、有線または無線のネットワークとして構成されていてもよい。また、ネットワークｎ１は、複数のネットワークを含んでいてもよく、無線のネットワークと有線のネットワークとの双方を含んでもよい。
【００３８】
放送受信機７０は、放送局８０から放送波を利用して放送されるコンテンツ（放送コンテンツ）を受信可能に構成された装置であり、例えば、テレビ受像機や、放送コンテンツを録画するためのレコーダ等に相当する。また、本実施形態に係る放送受信機７０は、ユーザによる放送コンテンツの視聴履歴を、記録情報として記録可能に構成されている。具体的な一例として、放送受信機７０は、ユーザが視聴した放送コンテンツの放送日時や、当該放送コンテンツが放送されたチャンネルを示す情報の履歴を記録情報として記録する。
【００３９】
また、放送受信機７０は、ユーザにより今後視聴されることが予測される放送コンテンツの情報（以降では、「視聴予測」と称する場合がある）を記録情報として記録してもよい。具体的な一例として、放送受信機７０は、視聴履歴に基づきユーザが習慣的に視聴している放送の情報（例えば、習慣的に視聴されている放送コンテンツが放送される曜日及び時間帯やチャンネル等）に基づき、当該ユーザが今後視聴することが予測される放送の情報（例えば、放送日時やチャンネル等）を、記録情報として記録してもよい。また、放送受信機７０は、録画予約の情報に基づき、ユーザが今後視聴することが予測される放送の情報を、記録情報として記録してもよい。
【００４０】
また、本実施形態に係る情報処理システムでは、放送受信機７０には、ユーザ（例えば、放送受信機７０のオーナー）ごとの識別情報（例えば、ユーザＩＤ）があらかじめ割り当てられている。放送受信機７０は、記録した記録情報を当該識別情報と関連付けて、後述するログ管理サーバ１０に送信する。これにより、ログ管理サーバ１０は、取得した記録情報に基づき、識別情報に対応するユーザが視聴した放送広告コンテンツや、当該ユーザの視聴が予測される放送広告コンテンツを認識することが可能となる。
【００４１】
また、放送受信機７０は、あらかじめ関連付けられたユーザ端末５０に対して、自身に割り当てられた識別情報を通知してもよい。具体的な一例として、放送受信機７０は、通信の接続が確立されたユーザ端末５０に対して、当該識別情報を通知してもよい。また、放送受信機７０は、接続されたユーザ端末５０との間で所謂認証処理を実行し、当該認証処理に成功した場合に、当該識別情報を当該ユーザ端末５０に通知してもよい。
【００４２】
なお、放送受信機７０を、家族で共有する場合等のように、当該放送受信機７０が、複数のユーザにより共有される場合も想定され得る。そのため、放送受信機７０は、放送コンテンツを視聴するユーザを識別し、識別結果に基づき、視聴実績等のような記録情報をユーザごとに記録してもよい。なお、この場合には、放送受信機７０は、ユーザごとに互いに異なる識別情報を割り当て、ユーザ端末５０に対して、当該ユーザ端末５０のユーザに対応する識別情報のみを通知してもよい。また、放送受信機７０が、放送コンテンツを視聴するユーザを識別することが可能であれば、その方法は特に限定されないことは言うまでもない。具体的な一例として、放送受信機７０は、撮像部等により、放送コンテンツを視聴するユーザを撮像し、撮像された画像に対して、例えば、顔認識技術等のユーザ個人を識別する技術に基づく解析を施すことで、当該ユーザを識別してもよい。
【００４３】
ユーザ端末５０は、ＰＣ（Personal  Computer）、スマートフォン、タブレット端末等のように、インターネット等のネットワークに接続することで、各種コンテンツ（例えば、Ｗｅｂサイト等に掲載されたコンテンツ等）をユーザが視聴することが可能な端末である。また、ユーザ端末５０は、ネットワークｎ１に対してアクセス可能な各種機能（例えば、アプリケーション）を実行可能に構成されていてもよい。なお、当該機能としては、例えば、ネットワークｎ１を介して配信される動画コンテンツを再生するための機能や、所謂ＳＮＳ（Social  Networking  Service）等の各種サービスにアクセスするための機能等が挙げられる。
【００４４】
また、本実施形態に係る情報処理システムでは、ユーザ端末５０は、放送受信機７０から識別情報を取得し、取得した識別情報を後述する広告配信サーバ３０に送信する。そして、ユーザ端末５０は、当該広告配信サーバ３０から、当該識別情報に対応するＷｅｂ広告コンテンツを受信する。これにより、例えば、ユーザ端末５０は、所謂バナー広告のように、所定の広告スペースに対して、広告配信サーバ３０から受信したＷｅｂ広告コンテンツを提示することが可能となる。
【００４５】
ログ管理サーバ１０は、放送受信機７０から記録情報を取得し、取得した記録情報に基づき、当該放送受信機７０に対応するユーザ（例えば、放送受信機７０のオーナー）の、放送広告コンテンツの視聴状況を示す視聴情報を生成し、当該視聴状況をユーザごとに管理する。
【００４６】
また、ログ管理サーバ１０は、広告配信サーバ３０からのリクエストを受けて、当該リクエストで指定された条件に対応する視聴情報を、レスポンスとして当該広告配信サーバ３０に出力する。具体的な一例として、ログ管理サーバ１０は、識別情報（即ち、ユーザ）が指定されたリクエストを広告配信サーバ３０から受けて、当該識別情報に対応する視聴情報を、レスポンスとして当該広告配信サーバ３０に出力してもよい。なお、ログ管理サーバ１０の詳細については、別途後述する。
【００４７】
広告配信サーバ３０は、ユーザ端末５０に対して、各種Ｗｅｂ広告コンテンツを配信するための構成である。
【００４８】
広告配信サーバ３０は、ユーザ端末５０から識別情報を取得し、当該識別情報に対応するユーザの各放送広告コンテンツの視聴状況を示す情報を、ログ管理サーバ１０から取得する。広告配信サーバ３０は、取得した各放送広告コンテンツの視聴状況を示す情報に基づき、ユーザに対するＷｅｂ広告コンテンツの提示対象となる広告コンテンツの候補（例えば、放送広告コンテンツ）を抽出する。次いで、広告配信サーバ３０は、抽出した広告コンテンツの候補の中から、あらかじめ決められた条件に基づき、Ｗｅｂ広告コンテンツの配信対象となる広告コンテンツを特定する。そして、広告配信サーバ３０は、特定した広告コンテンツに対応するＷｅｂ広告コンテンツ（即ち、視聴状況に応じて絞り込まれた放送広告コンテンツに関連付けられたＷｅｂ広告コンテンツ）を、識別情報の取得元であるユーザ端末５０に配信する。なお、広告配信サーバ３０の詳細については、別途後述する。
【００４９】
以上、図２を参照して、本実施形態に係る情報処理システムのシステム構成の一例について説明した。以上のような構成により、本実施形態に係る情報処理システムは、放送広告コンテンツの視聴状況に応じて、当該放送広告コンテンツに関連付けられたＷｅｂ広告コンテンツの配信を制御することで、所望の広告コンテンツに対するユーザの接触を制御することが可能となる。
【００５０】
［２．２．機能構成］
次に、図３を参照して、本実施形態に係る情報処理システムの機能構成の一例について説明する。図３は、本実施形態に係る情報処理システムの機能構成の一例について示したブロック図である。なお、本説明では、ログ管理サーバ１０及び広告配信サーバ３０については、詳細な構成についても説明する。
【００５１】
放送受信機７０は、例えば、放送コンテンツの視聴履歴や放送コンテンツの視聴予測を、記録情報として記憶部７１に記憶させる。なお、記憶部７１は、放送受信機７０に内蔵されていてもよいし、放送受信機７０の外部に外付けされていてもよい。
【００５２】
放送受信機７０は、記憶部７１に記憶された記録情報を、あらかじめ自身に割り当てられた識別情報（例えば、ユーザＩＤ）と共に、ログ管理サーバ１０に送信する。
【００５３】
また、放送受信機７０は、ネットワークｎ１を介して接続されたユーザ端末５０に対して、自身に割り当てられた識別情報を通知する。なお、ユーザ端末５０は、当該放送受信機７０から通知された識別情報を、広告配信サーバ３０に送信する。これにより、ユーザ端末５０は、当該広告配信サーバ３０から、当該識別情報に対応するＷｅｂ広告コンテンツ（例えば、当該識別情報に対応するユーザの放送広告コンテンツの視聴状況に応じて特定されたＷｅｂ広告コンテンツ）を受信することが可能となる。
【００５４】
なお、本実施形態に係る情報処理システムにおける放送受信機７０は、上記に説明した機能を実現可能であれば、必ずしもテレビ受像機や所謂レコーダとして構成されている必要はない。具体的な一例として、本実施形態に係る放送受信機７０は、テレビ受像機や所謂レコーダに接続されたサーバとして構成されていてもよい。
【００５５】
（ログ管理サーバ１０）
次に、ログ管理サーバ１０の構成について説明する。図３に示すように、ログ管理サーバ１０は、通信部１０１と、収集部１０３と、視聴情報生成部１０５と、リクエスト処理部１０７とを含む。また、ログ管理サーバ１０は、記憶部１１にアクセス可能に構成されている。
【００５６】
記憶部１１は、ログ管理サーバ１０が使用する各種情報（データ）を記憶させるための記憶領域である。記憶部１１は、ログ管理サーバ１０に内蔵されていてもよいし、ログ管理サーバ１０の外部に外付けされていてもよい。
【００５７】
通信部１０１は、ログ管理サーバ１０内の各構成が、外部装置（例えば、放送受信機７０や広告配信サーバ３０）との間でネットワークｎ１を介した通信を確立し、当該外部装置との間で各種情報（各種データ）を送受信するための構成である。なお、以降の説明では、ログ管理サーバ１０内の各構成が、ネットワークｎ１を介して外部装置と情報の送受信を行う場合には、特に記載が無い場合においても、通信部１０１を介して情報の送受信を行うものとする。
【００５８】
収集部１０３は、放送受信機７０から、当該放送受信機７０で管理されている記録情報（即ち、放送コンテンツの視聴履歴や視聴予測）と、当該放送受信機７０に割り当てられた識別情報とを取得する。このとき、収集部１０３は、放送受信機７０に対して記録情報及び識別情報の送信を指示することで、当該放送受信機７０から能動的に記録情報及び識別情報を取得してもよい。また、他の一例として、収集部１０３は、放送受信機７０が能動的に送信する記録情報及び識別情報を、受動的に取得してもよい。なお、収集部１０３は、複数の放送受信機７０それぞれから、記録情報及び識別情報を取得してもよい。
【００５９】
そして、収集部１０３は、放送受信機７０から取得した記録情報を、識別情報ごとに視聴情報生成部１０５に出力する。
【００６０】
視聴情報生成部１０５は、収集部１０３により収集された記録情報を、識別情報ごとに当該収集部１０３から取得する。また、視聴情報生成部１０５は、記憶部１１にあらかじめ記憶された放送管理情報を読み出す。放送管理情報は、過去に放送された各放送広告コンテンツの情報（以降では、「放送実績」と称する場合がある）や、今後放送が予定されている各放送広告コンテンツの情報（以降では、「放送予定」と称する場合がある）を含む。なお、放送実績には、例えば、過去に放送された放送広告コンテンツの放送日時や放送されたチャンネルを示す情報が含まれる。また、放送予定には、例えば、今後放送が予定された放送広告コンテンツの放送日時や放送されたチャンネルを示す情報が含まれる。なお、放送管理情報については、例えば、あらかじめ生成され、所定のタイミングごとに、各放送局による放送コンテンツ（例えば、放送広告コンテンツ）の放送予定や放送実績に基づき更新されればよい。
【００６１】
視聴情報生成部１０５は、識別情報ごとに取得した記録情報と、記憶部１１から読み出した放送管理情報とに基づき、各放送広告コンテンツの視聴実績や視聴予測を含む視聴情報を生成または更新する。
【００６２】
具体的な一例として、視聴情報生成部１０５は、識別情報ごとに取得した記録情報に含まれる視聴履歴（即ち、ユーザが視聴した放送コンテンツの放送日時やチャンネル）と、放送管理情報に含まれる各放送コンテンツの放送実績とを比較し、比較結果として、各放送広告コンテンツの視聴実績を取得する。なお、このとき取得される視聴実績には、当該識別情報が示すユーザが過去に視聴した各放送広告コンテンツに関する情報、即ち、当該放送広告コンテンツの放送日時や、当該放送広告コンテンツが放送されたチャンネルを示す情報等が含まれる。
【００６３】
また、他の一例として、視聴情報生成部１０５は、識別情報ごとに取得した記録情報に含まれる視聴予測（即ち、ユーザによる視聴が予測される放送コンテンツの放送日時やチャンネル）と、放送管理情報に含まれる各放送コンテンツの放送予定とを比較し、比較結果として、各放送広告コンテンツの視聴予測を取得する。なお、このとき取得される視聴予測には、当該識別情報が示すユーザにより、今後視聴が予測される各放送広告コンテンツに関する情報、即ち、当該放送広告コンテンツの放送日時や、当該放送広告コンテンツが放送されたチャンネルを示す情報等が含まれる。
【００６４】
以上のようにして、視聴情報生成部１０５は、記録情報と放送管理情報とに基づき、識別情報ごとに、各放送広告コンテンツの視聴実績や視聴予測を示す情報を取得し、取得した当該情報に基づき、視聴情報を生成または更新する。即ち、当該視聴情報には、識別情報が示すユーザごとに、当該ユーザによる各放送広告コンテンツの視聴実績や視聴予測を示す情報が含まれることとなる。なお、視聴情報生成部１０５は、生成または更新した視聴情報を、記憶部１１に記憶させてもよい。なお、以降の説明では、生成または更新された視聴情報は、記憶部１１に記憶されるものとする。
【００６５】
リクエスト処理部１０７は、広告配信サーバ３０からネットワークｎ１を介してリクエストを取得し、当該リクエストが示す条件に一致する視聴情報を記憶部１１から検索して、当該視聴情報から、視聴状況を示す情報を抽出する。そして、リクエスト処理部１０７は、視聴状況を示す情報の抽出結果をレスポンスとして、リクエストの送信元に送信する。なお、リクエスト処理部１０７が、「出力部」の一例に相当する。
【００６６】
具体的な一例として、リクエスト処理部１０７は、リクエストとして、所望の識別情報に対応するユーザの視聴実績の抽出に係る指示を、広告配信サーバ３０から受けたものとする。この場合には、リクエスト処理部１０７は、当該広告配信サーバ３０から対象となる識別情報を取得し、取得した識別情報に関連付けられた視聴情報を記憶部１１から検索する。そして、リクエスト処理部１０７は、検索された視聴情報から各放送広告コンテンツの視聴実績を示す情報を抽出し、抽出した情報を、リクエストの送信元である広告配信サーバ３０に、当該リクエストに対するレスポンスとして送信する。
【００６７】
また、他の一例として、リクエスト処理部１０７は、リクエストとして、所望の識別情報に対応するユーザの視聴予測の抽出に係る指示を、広告配信サーバ３０から受けたものとする。この場合には、リクエスト処理部１０７は、当該広告配信サーバ３０から対象となる識別情報を取得し、取得した識別情報に関連付けられた視聴情報を記憶部１１から検索する。そして、リクエスト処理部１０７は、検索された視聴情報から各放送広告コンテンツの視聴予測を示す情報を抽出し、抽出した情報を、リクエストの送信元である広告配信サーバ３０に、当該リクエストに対するレスポンスとして送信する。
【００６８】
また、他の一例として、リクエスト処理部１０７は、リクエストとして、視聴情報の抽出に係る条件や、レスポンスとして出力する情報の条件等の指定を、広告配信サーバ３０から取得してもよい。この場合には、リクエスト処理部１０７は、指定された条件に基づき、記憶部１１からの視聴情報の抽出や、リクエストの送信元である広告配信サーバ３０にレスポンスとして送信する情報の態様を制御する。
【００６９】
例えば、リクエスト処理部１０７は、リクエストを基に抽出された視聴情報に含まれる視聴実績に基づき、放送広告コンテンツごとに過去の視聴回数を集計し、集計結果をレスポンスとして広告配信サーバ３０に送信してもよい。同様に、リクエスト処理部１０７は、抽出された視聴情報に含まれる視聴予測に基づき、放送広告コンテンツごとに視聴が予測される回数を集計し、集計結果をレスポンスとして広告配信サーバ３０に送信してもよい。
【００７０】
また、他の一例として、リクエスト処理部１０７は、リクエストとして、対象となる放送広告コンテンツの指定を受けて、当該放送広告コンテンツの視聴状況（視聴実績または視聴予測）を示す情報を抽出し、抽出結果をレスポンスとして、当該リクエストの送信元である広告配信サーバ３０に送信してもよい。
【００７１】
また、リクエスト処理部１０７は、広告配信サーバ３０からのリクエストに基づき、記憶部１１に記憶された視聴情報を更新してもよい。
【００７２】
具体的な一例として、リクエスト処理部１０７は、広告配信サーバ３０から、識別情報ごとにＷｅｂ広告コンテンツの配信実績を示す情報を、視聴情報の更新に係るリクエストとともに取得したものとする。この場合には、リクエスト処理部１０７は、当該識別情報に関連付けられた視聴情報を記憶部１１から抽出し、抽出した視聴情報から、配信実績を取得したＷｅｂ広告コンテンツに関連付けられた放送広告コンテンツの視聴実績や視聴予測を示す情報を抽出する。そして、リクエスト処理部１０７は、抽出した視聴実績や視聴予測を示す情報に対して、取得した配信実績を示す情報が関連付けられるように、視聴情報を更新する。これにより、放送広告コンテンツの視聴実績や視聴予測と、当該放送広告コンテンツに関連付けられたＷｅｂ広告コンテンツの配信実績とを一元管理することが可能となる。
【００７３】
もちろん、リクエスト処理部１０７は、放送広告コンテンツの視聴実績や視聴予測に対して、Ｗｅｂ広告コンテンツの配信実績が関連付けられている場合には、当該配信実績についても、リクエストに基づく情報抽出の対象としてもよい。具体的な一例として、リクエスト処理部１０７は、放送広告コンテンツ及びＷｅｂ広告コンテンツの視聴回数の合計を集計し、集計結果を出力してもよい。
【００７４】
（広告配信サーバ３０）
次に、広告配信サーバ３０の構成について説明する。図３に示すように、広告配信サーバ３０は、通信部３０１と、配信対象特定部３０３と、配信制御部３０５と、配信実績記録部３０７とを含む。また、広告配信サーバ３０は、記憶部３１にアクセス可能に構成されている。
【００７５】
記憶部３１は、広告配信サーバ３０が配信対象とする各種コンテンツ（即ち、Ｗｅｂ広告コンテンツ）や、広告配信サーバ３０が使用する各種情報（データ）を記憶させるための記憶領域である。なお、記憶部３１に記憶されるＷｅｂ広告コンテンツは、対応する放送広告コンテンツ（例えば、同一商品や同一メーカーの放送広告コンテンツ）にあらかじめ関連付けられている。また、記憶部３１は、広告配信サーバ３０に内蔵されていてもよいし、広告配信サーバ３０の外部に外付けされていてもよい。
【００７６】
通信部３０１は、広告配信サーバ３０内の各構成が、外部装置（例えば、ユーザ端末５０やログ管理サーバ１０）との間でネットワークｎ１を介した通信を確立し、当該外部装置との間で各種情報（各種データ）を送受信するための構成である。なお、以降の説明では、広告配信サーバ３０内の各構成が、ネットワークｎ１を介して外部装置と情報の送受信を行う場合には、特に記載が無い場合においても、通信部３０１を介して情報の送受信を行うものとする。
【００７７】
配信対象特定部３０３は、ユーザ端末５０に対して配信するＷｅｂ広告コンテンツを、当該ユーザ端末５０のユーザによる放送広告コンテンツの視聴状況（例えば、視聴履歴や視聴実績）に応じて決定する。
【００７８】
具体的には、配信対象特定部３０３は、まず、Ｗｅｂ広告コンテンツの配信対象となるユーザ端末５０から、当該ユーザ端末５０のユーザに対応する識別情報を取得する。配信対象特定部３０３は、取得した識別情報に基づき、当該識別情報に対応するユーザによる、放送広告コンテンツの視聴状況（例えば、視聴実績や視聴予測）を示す情報を取得するためのリクエストを生成する。
【００７９】
配信対象特定部３０３は、生成したリクエストをログ管理サーバ１０に送信し、そのレスポンスとして、当該ログ管理サーバ１０から、当該リクエストに対応する視聴状況を示す情報を取得する。以上のようにしてログ管理サーバ１０から取得された情報に基づき、配信対象特定部３０３は、識別情報が示すユーザによる各放送広告コンテンツの視聴状況（即ち、視聴実績や視聴予測）を認識することが可能となる。
【００８０】
次いで、配信対象特定部３０３は、識別情報が示すユーザによる各放送広告コンテンツの視聴状況の認識結果に基づき、当該識別情報の取得元であるユーザ端末５０への配信対象となるＷｅｂ広告コンテンツを特定する。
【００８１】
具体的には、まず、配信対象特定部３０３は、各放送広告コンテンツの視聴状況の認識結果から、所定の条件に基づき、当該放送広告コンテンツに関連付けられたＷｅｂ広告コンテンツを配信対象とする広告コンテンツの候補を抽出する。
【００８２】
例えば、配信対象特定部３０３は、各放送広告コンテンツの視聴回数に基づき、対応するＷｅｂ広告コンテンツを配信対象とする広告コンテンツの候補を抽出してもよい。
【００８３】
具体的な一例として、配信対象特定部３０３は、放送広告コンテンツとＷｅｂ広告コンテンツとの合計視聴回数があらかじめ設定された広告コンテンツのうち、放送広告コンテンツの視聴回数が当該合計視聴回数に満たない広告コンテンツを抽出してもよい。このような抽出結果を利用することで、例えば、放送広告コンテンツとＷｅｂ広告コンテンツとの合計視聴回数が、所定の回数となるように制御することが可能となる。
【００８４】
また、他の一例として、配信対象特定部３０３は、放送広告コンテンツへの接触回数に対するＷｅｂ広告コンテンツへの接触回数の割合があらかじめ設定された広告コンテンツのうち、放送広告コンテンツの視聴実績を有する広告コンテンツを抽出してもよい。このような抽出結果を利用することで、例えば、放送広告コンテンツへの接触回数に対するＷｅｂ広告コンテンツへの接触回数の割合が、所定の割合となるように制御することが可能となる。
【００８５】
また、他の一例として、配信対象特定部３０３は、放送広告コンテンツが視聴されていない（即ち、視聴回数が０の）広告コンテンツを抽出してもよい。このような抽出結果を利用することで、例えば、放送広告コンテンツに接触していないユーザが、Ｗｅｂ広告コンテンツに接触するように制御することが可能となる。
【００８６】
なお、各放送広告コンテンツの視聴回数を基準とする場合には、配信対象特定部３０３は、対応する放送広告コンテンツの一連の視聴実績に基づき視聴回数を算出してもよいし、あらかじめ決められた期間中（例えば、現在から１カ月前までの期間等）の視聴実績に基づき視聴回数を算出してもよい。
【００８７】
また、配信対象特定部３０３は、各放送広告コンテンツの視聴時期に基づき、対応するＷｅｂ広告コンテンツを配信対象とする広告コンテンツの候補を抽出してもよい。
【００８８】
具体的な一例として、配信対象特定部３０３は、放送広告コンテンツへの接触時期からの経過時間が、あらかじめ決められた期間に満たない広告コンテンツを抽出してもよい。このような抽出結果を利用することで、例えば、放送広告コンテンツへの接触時期から、所定の期間内に、当該放送広告コンテンツに対応するＷｅｂ広告コンテンツにユーザが接触するように制御することが可能となる。
【００８９】
また、他の一例として、配信対象特定部３０３は、あらかじめ決められた期間内に、放送広告コンテンツへのユーザの接触が予測される広告コンテンツを抽出してもよい。このような抽出結果を利用することで、例えば、放送広告コンテンツへの接触が予測されるユーザが、あらかじめ、当該放送広告コンテンツに対応するＷｅｂ広告コンテンツに接触するように制御することが可能となる。
【００９０】
また、配信対象特定部３０３は、ユーザごとの識別情報に対して、当該ユーザの年齢、性別、職業等の属性情報を関連付けて管理し、当該属性情報に基づき、Ｗｅｂ広告コンテンツを配信対象とする広告コンテンツの候補を絞り込んでもよい。
【００９１】
具体的には、各広告コンテンツに対して、当該広告コンテンツの配信対象となるユーザの属性情報をあらかじめ関連付けておく。配信対象特定部３０３は、取得した識別情報が示すユーザの属性情報と、各広告コンテンツに関連付けられた属性情報とを比較することで、Ｗｅｂ広告コンテンツの配信対象となる広告コンテンツを絞り込んでもよい。このような絞り込みを行うことで、各広告コンテンツに対して、当該広告コンテンツがターゲットとするユーザが接触するように制御することが可能となる。
【００９２】
なお、上記に説明した、Ｗｅｂ広告コンテンツを配信対象とする広告コンテンツの候補を特定するための条件はあくまで一例であり、各広告コンテンツの広告戦略に基づき、対象となる広告コンテンツを抽出可能であれば、その内容は特に限定されない。もちろん、上記に示した各種条件を適宜組み合わせてもよい。具体的な一例として、配信対象特定部３０３は、各放送広告コンテンツの視聴回数に基づき抽出された広告コンテンツの候補の中から、各放送広告コンテンツの視聴時期に基づき、対象となる広告コンテンツの候補を絞り込んでもよい。
【００９３】
以上のようにして、配信対象特定部３０３は、Ｗｅｂ広告コンテンツを配信対象とする広告コンテンツの候補を抽出し、抽出された候補の中から、Ｗｅｂ広告コンテンツの配信対象となる広告コンテンツを特定する。
【００９４】
なお、配信対象特定部３０３は、各広告コンテンツに対する広告主からの入札をあらかじめ受けて、抽出された広告コンテンツの候補の中から、各候補に対する入札に関する情報に基づき、Ｗｅｂ広告コンテンツの配信対象となる広告コンテンツを特定してもよい。
【００９５】
配信対象特定部３０３は、各放送広告コンテンツの視聴状況に応じて広告コンテンツを特定すると、当該広告コンテンツに対応するＷｅｂ広告コンテンツ（換言すると、所定の条件に基づき絞り込まれた放送広告コンテンツに関連付けられたＷｅｂ広告コンテンツ）を、識別情報の取得元であるユーザ端末５０への配信対象として特定する。そして、配信対象特定部３０３は、配信対象として特定したＷｅｂ広告コンテンツを示す情報と、当該Ｗｅｂ広告コンテンツの配信先となるユーザ端末５０（即ち、識別情報の取得元となるユーザ端末５０）の情報とを、配信制御部３０５に通知する。
【００９６】
配信制御部３０５は、配信対象特定部３０３から、配信対象となるＷｅｂ広告コンテンツを示す情報と、当該Ｗｅｂ広告コンテンツの配信先となるユーザ端末５０の情報とを示す通知を受ける。
【００９７】
配信制御部３０５は、配信対象特定部３０３からの通知に基づき、配信対象となるＷｅｂ広告コンテンツのデータを記憶部３１から読み出す。そして、配信制御部３０５は、記憶部３１から読み出したＷｅｂ広告コンテンツのデータを、配信対象特定部３０３から通知されたユーザ端末５０に配信する。これにより、ユーザ端末５０は、広告配信サーバ３０に送信した識別情報に対する応答として、当該識別情報が示すユーザの、放送広告コンテンツの視聴状況に応じて特定されたＷｅｂ広告コンテンツを、当該広告配信サーバ３０から取得することが可能となる。
【００９８】
また、配信制御部３０５は、Ｗｅｂ広告コンテンツの配信実績（例えば、配信日時）を示す情報を、識別情報ごとに配信実績記録部３０７に通知してもよい。
【００９９】
配信実績記録部３０７は、配信制御部３０５から、各Ｗｅｂ広告コンテンツの配信実績を示す情報を識別情報ごとに取得し、取得した当該配信実績を示す情報を識別情報ごとに記録する。このとき、配信実績記録部３０７は、例えば、識別情報ごとの配信実績を示す情報を、記憶部３１に記憶させてもよい。
【０１００】
また、配信実績記録部３０７は、識別情報ごとに記録されたＷｅｂ広告コンテンツの配信実績を示す情報をログ管理サーバ１０に送信し、当該配信実績に基づく視聴情報の更新をログ管理サーバ１０にリクエストしてもよい。なお、配信実績記録部３０７のうち、Ｗｅｂ広告コンテンツの配信実績を示す情報をログ管理サーバ１０に送信する構成が、「通知部」の一例に相当する。これにより、ログ管理サーバ１０は、配信実績記録部３０７から送信されたＷｅｂ広告コンテンツの配信実績を、当該Ｗｅｂ広告コンテンツに関連付けられた放送広告コンテンツの視聴実績や視聴予測と関連付けて一元管理することが可能となる。
【０１０１】
なお、Ｗｅｂ広告コンテンツに対して、配信期限が明示的に設定されていてもよい。具体的な一例として、ある特定のキャンペーンの関する放送広告コンテンツについては、当該キャンペーンの終了時に当該広告コンテンツにユーザを接触させたとしても、当該広告が意味をなさない場合も想定され得る。
【０１０２】
そのため、Ｗｅｂ広告コンテンツに対して配信期限を設定することで、広告配信サーバ３０は、例えば、当該Ｗｅｂ広告コンテンツに設定された配信期限を、配信対象となるＷｅｂ広告コンテンツの候補の絞り込みに利用してもよい。
【０１０３】
具体的な一例として、広告配信サーバ３０は、配信期限の近いＷｅｂ広告コンテンツを優先的に、配信対象として特定してもよい。また、他の一例として、広告配信サーバ３０は、配信期限の過ぎたＷｅｂ広告コンテンツを、配信対象の候補から排除してもよい。
【０１０４】
また、前述したように、放送広告コンテンツへのユーザの接触を制御することは困難である。そのため、放送広告コンテンツへのユーザの接触時期によっては、当該放送広告コンテンツに関連付けられたＷｅｂ広告コンテンツの配信時期が終了している場合も想定され得る。そのため、広告配信サーバ３０は、放送広告コンテンツに関連付けられたＷｅｂ広告コンテンツを特定できなった場合には、当該Ｗｅｂ広告コンテンツに関連する他のＷｅｂ広告コンテンツを特定してもよい。
【０１０５】
具体的な一例として、広告配信サーバ３０は、ある製品のキャンペーンに関する放送広告コンテンツの視聴実績に基づき、当該キャンペーンに関するＷｅｂ広告コンテンツを特定できなかった場合には、当該製品の他のＷｅｂ広告コンテンツを特定してもよい。
【０１０６】
このような場合には、例えば、広告配信サーバ３０は、広告コンテンツごとの管理に加えて、複数の広告コンテンツをグループごとに分類し、グループＩＤ等を用いることにより、グループ単位で各広告コンテンツを管理すればよい。これにより、広告配信サーバ３０は、例えば、対象となるＷｅｂ広告コンテンツを特定できなかった場合には、当該Ｗｅｂ広告コンテンツと同じグループに含まれる他のＷｅｂ広告コンテンツを特定すればよい。
【０１０７】
また、ログ管理サーバ１０、広告配信サーバ３０、ユーザ端末５０、及び放送受信機７０間で送受信される、ユーザごとの識別情報は、各構成が対応するユーザを認識可能であれば、必ずしも同じ識別情報でなくてもよい。例えば、広告配信サーバ３０とユーザ端末５０との間で送受信される識別情報と、広告配信サーバ３０とログ管理サーバ１０との間で送受信される識別情報とは、同じユーザに関連付けられていれば、各識別情報の内容は異なっていてもよい。
【０１０８】
以上、図３を参照して、本実施形態に係る情報処理システムの機能構成の一例について説明した。上記に説明したように、本実施形態に係る情報処理システムでは、各放送広告コンテンツの視聴状況に応じて、当該放送広告コンテンツに関連付けられたＷｅｂ広告コンテンツの配信を制御する。このような構成により、本実施形態に係る情報処理システムは、放送広告コンテンツへのユーザの接触を制御することが困難な状況下においても、Ｗｅｂ広告コンテンツの配信を制御することで、関連する広告コンテンツへの当該ユーザの接触を制御することが可能となる。これにより、本実施形態に係る情報処理システムに依れば、放送広告コンテンツの放送とＷｅｂ広告コンテンツの配信とをより緊密に連携させ、広告コンテンツに対してユーザをより効率的に接触させることが可能となる。
【０１０９】
＜３．処理＞
次に、本実施形態に係る情報処理システムの一連の処理の流れの一例について説明する。
【０１１０】
［３．１．視聴実績に基づく制御の一例］
まず、図４を参照して、放送広告コンテンツの過去の視聴実績に基づき、対応するＷｅｂ広告コンテンツを、ユーザ端末５０に配信する場合における、情報処理システムの一連の処理の流れの一例について説明する。図４は、本実施形態に係る情報処理システムの一連の処理の流れの一例について示したフローチャートであり、放送広告コンテンツの過去の視聴実績に基づき、対応するＷｅｂ広告コンテンツを配信する場合の動作の一例を示している。
【０１１１】
（ステップＳ１０１）
放送受信機７０は、ユーザが視聴した放送コンテンツの放送日時や、当該放送コンテンツが放送されたチャンネルを示す情報等の視聴履歴を記録情報として記録する。また、放送受信機７０には、ユーザごとの識別情報があらかじめ割り当てられている。放送受信機７０は、記録した記録情報（即ち、放送広告コンテンツの視聴履歴）を当該識別情報と関連付けて、ログ管理サーバ１０に送信する。
【０１１２】
ログ管理サーバ１０の収集部１０３は、放送受信機７０から、当該放送受信機７０で管理されている記録情報（即ち、放送コンテンツの視聴履歴）と、当該放送受信機７０に割り当てられた識別情報とを取得する。収集部１０３は、放送受信機７０から取得した記録情報を、識別情報ごとに視聴情報生成部１０５に出力する。
【０１１３】
（ステップＳ１０３）
視聴情報生成部１０５は、収集部１０３により収集された記録情報を、識別情報ごとに当該収集部１０３から取得する。また、視聴情報生成部１０５は、記憶部１１にあらかじめ記憶された、過去に放送された各放送広告コンテンツの放送実績を示す放送管理情報を読み出す。なお、放送実績には、例えば、過去に放送された放送広告コンテンツの放送日時や放送されたチャンネルを示す情報が含まれる。
【０１１４】
視聴情報生成部１０５は、識別情報ごとに取得した記録情報と、記憶部１１から読み出した放送管理情報とに基づき、各放送広告コンテンツの視聴実績を含む視聴情報を生成または更新する。そして、視聴情報生成部１０５は、生成または更新した視聴情報を、記憶部１１に記憶させる。
【０１１５】
（ステップＳ１０５）
ユーザ端末５０は、ユーザからの操作を受けて、インターネット等のネットワークを介して各種コンテンツ（例えば、Ｗｅｂサイト等に掲載されたコンテンツ等）を取得し、取得したコンテンツをユーザに提示するための各種機能を実行する。なお、当該機能としては、例えば、ネットワークを介して配信される動画コンテンツを再生するための機能や、所謂ＳＮＳ等の各種サービスにアクセスするための機能等が挙げられる。
【０１１６】
（ステップＳ１０７）
また、放送受信機７０は、あらかじめ関連付けられたユーザ端末５０に対して、自身に割り当てられた識別情報を通知する。
【０１１７】
（ステップＳ１０９）
ユーザ端末５０は、放送受信機７０から識別情報を取得し、取得した識別情報を広告配信サーバ３０に送信する。
【０１１８】
（ステップＳ１１１）
広告配信サーバ３０の配信対象特定部３０３は、Ｗｅｂ広告コンテンツの配信対象となるユーザ端末５０から、当該ユーザ端末５０のユーザに対応する識別情報を取得する。配信対象特定部３０３は、取得した識別情報に基づき、当該識別情報に対応するユーザによる、放送広告コンテンツの視聴実績を示す情報を取得するためのリクエストを生成し、当該リクエストをログ管理サーバ１０に送信する。
【０１１９】
（ステップＳ１１３）
ログ管理サーバ１０のリクエスト処理部１０７は、リクエストとして、識別情報に対応するユーザの視聴実績の抽出に係る指示を、当該識別情報とともに、広告配信サーバ３０から取得する。リクエスト処理部１０７は、取得した識別情報に関連付けられた視聴情報を記憶部１１から検索し、検索された視聴情報から各放送広告コンテンツの視聴実績を示す情報を抽出する。
【０１２０】
（ステップＳ１１５）
リクエスト処理部１０７は、抽出した各放送広告コンテンツの視聴実績を示す情報を、リクエストの送信元である広告配信サーバ３０に、当該リクエストに対するレスポンスとして送信する。
【０１２１】
（ステップＳ１１７）
配信対象特定部３０３は、ログ管理サーバ１０に送信したリクエストに対するレスポンスとして、当該ログ管理サーバ１０から、送信した識別情報が示すユーザの放送広告コンテンツの視聴実績を示す情報を取得する。これにより、配信対象特定部３０３は、識別情報が示すユーザによる各放送広告コンテンツの視聴実績を認識することが可能となる。
【０１２２】
次いで、配信対象特定部３０３は、識別情報が示すユーザによる各放送広告コンテンツの視聴実績の認識結果に基づき、当該識別情報の取得元であるユーザ端末５０への配信対象となるＷｅｂ広告コンテンツを特定する。
【０１２３】
具体的には、まず、配信対象特定部３０３は、各放送広告コンテンツの視聴実績の認識結果から、所定の条件に基づき、当該放送広告コンテンツに関連付けられたＷｅｂ広告コンテンツを配信対象とする広告コンテンツの候補を抽出する。
【０１２４】
より具体的な一例として、配信対象特定部３０３は、各放送広告コンテンツの視聴回数や視聴時期に基づき、Ｗｅｂ広告コンテンツを配信対象とする広告コンテンツの候補を抽出する。また、配信対象特定部３０３は、識別情報に対応するユーザの属性情報に基づき、Ｗｅｂ広告コンテンツを配信対象とする広告コンテンツの候補を絞り込んでもよい。
【０１２５】
以上のようにして、配信対象特定部３０３は、Ｗｅｂ広告コンテンツを配信対象とする広告コンテンツの候補を抽出し、抽出された候補の中から、Ｗｅｂ広告コンテンツの配信対象となる広告コンテンツを特定する。
【０１２６】
なお、配信対象特定部３０３は、各広告コンテンツに対する広告主からの入札をあらかじめ受けて、抽出された広告コンテンツの候補の中から、各候補に対する入札に関する情報に基づき、Ｗｅｂ広告コンテンツの配信対象となる広告コンテンツを特定してもよい。
【０１２７】
配信対象特定部３０３は、各放送広告コンテンツの視聴実績に応じて広告コンテンツを特定すると、当該広告コンテンツに対応するＷｅｂ広告コンテンツを、識別情報の取得元であるユーザ端末５０への配信対象として特定する。そして、配信対象特定部３０３は、配信対象として特定したＷｅｂ広告コンテンツを示す情報と、当該Ｗｅｂ広告コンテンツの配信先となるユーザ端末５０の情報とを、配信制御部３０５に通知する。
【０１２８】
（ステップＳ１１９）
配信制御部３０５は、配信対象特定部３０３から、配信対象となるＷｅｂ広告コンテンツを示す情報と、当該Ｗｅｂ広告コンテンツの配信先となるユーザ端末５０の情報とを示す通知を受ける。
【０１２９】
配信制御部３０５は、配信対象特定部３０３からの通知に基づき、配信対象となるＷｅｂ広告コンテンツのデータを記憶部３１から読み出す。そして、配信制御部３０５は、記憶部３１から読み出したＷｅｂ広告コンテンツのデータを、配信対象特定部３０３から通知されたユーザ端末５０に配信する。これにより、ユーザ端末５０は、広告配信サーバ３０に送信した識別情報に対する応答として、当該識別情報が示すユーザの、放送広告コンテンツの視聴実績に応じて特定されたＷｅｂ広告コンテンツを、当該広告配信サーバ３０から取得することが可能となる。
【０１３０】
（ステップＳ１２１）
また、配信制御部３０５は、Ｗｅｂ広告コンテンツの配信実績（例えば、配信日時）を示す情報を、識別情報ごとに配信実績記録部３０７に通知してもよい。
【０１３１】
配信実績記録部３０７は、配信制御部３０５から、各Ｗｅｂ広告コンテンツの配信実績を示す情報を識別情報ごとに取得し、取得した当該配信実績を示す情報を識別情報ごとに記録する。
【０１３２】
また、配信実績記録部３０７は、識別情報ごとに記録されたＷｅｂ広告コンテンツの配信実績を示す情報をログ管理サーバ１０に送信し、当該配信実績に基づく視聴情報の更新をログ管理サーバ１０にリクエストする。
【０１３３】
（ステップＳ１２３）
リクエスト処理部１０７は、広告配信サーバ３０から、識別情報ごとにＷｅｂ広告コンテンツの配信実績を示す情報を、視聴情報の更新に係るリクエストとともに取得する。リクエスト処理部１０７は、当該識別情報に関連付けられた視聴情報を記憶部１１から抽出し、抽出した視聴情報から、配信実績を取得したＷｅｂ広告コンテンツに関連付けられた放送広告コンテンツの視聴実績や視聴予測を示す情報を抽出する。そして、リクエスト処理部１０７は、抽出した視聴実績や視聴予測を示す情報に対して、取得した配信実績を示す情報が関連付けられるように、視聴情報を更新する。これにより、放送広告コンテンツの視聴実績や視聴予測と、当該放送広告コンテンツに関連付けられたＷｅｂ広告コンテンツの配信実績とを一元管理することが可能となる。
【０１３４】
以上、図４を参照して、放送広告コンテンツの過去の視聴実績に基づき、対応するＷｅｂ広告コンテンツを、ユーザ端末５０に配信する場合における、情報処理システムの一連の処理の流れの一例について説明した。
【０１３５】
以上のような制御により、例えば、広告配信サーバ３０は、ユーザによる放送広告コンテンツの視聴実績に応じて、当該放送広告コンテンツに関連付けられたＷｅｂ広告コンテンツの配信を制御することが可能となる。
【０１３６】
これにより、例えば、広告配信サーバ３０は、放送広告コンテンツと、当該放送広告コンテンツに関連するＷｅｂ広告コンテンツとのそれぞれへのユーザの接触回数の合計が所定回数となるように、当該Ｗｅｂ広告コンテンツの配信回数を制御することが可能となる。
【０１３７】
また、他の一例として、広告配信サーバ３０は、放送広告コンテンツに対するユーザの接触回数に対して、Ｗｅｂ広告コンテンツへの当該ユーザの接触回数が所定の割合となるように、当該Ｗｅｂ広告コンテンツの配信回数を制御することも可能となる。
【０１３８】
また、他の一例として、広告配信サーバ３０は、ある放送広告コンテンツへのユーザの接触時期から所定の期間内に、当該放送広告コンテンツに関連付けられたＷｅｂ広告コンテンツに当該ユーザが接触するように、当該Ｗｅｂ広告コンテンツの配信時期を制御することも可能となる。
【０１３９】
［３．２．視聴予測に基づく制御例］
次に、放送広告コンテンツの視聴予測に基づき、対応するＷｅｂ広告コンテンツを、ユーザ端末５０に配信する場合における、情報処理システムによる制御の一例について説明する。
【０１４０】
例えば、図５は、本実施形態に係る情報処理システムの利用シーンの一例について説明するための説明図であり、放送広告コンテンツの視聴予測に基づき、対応するＷｅｂ広告コンテンツにユーザを接触させる場合の一例について示している。即ち、本実施形態に係る情報処理システムは、本項で説明する制御により、放送広告コンテンツｖ１１の視聴が予測されるユーザを、当該放送広告コンテンツｖ１１に関連付けられたＷｅｂ広告コンテンツｖ３１に事前に接触させる。これにより、情報処理システムは、図５に示すように、対象となるユーザが、Ｗｅｂ広告コンテンツｖ３１への接触後に、後日放送される放送広告コンテンツｖ１１に接触するように、間接的に制御することが可能となる。
【０１４１】
以下に、図６を参照して、放送広告コンテンツの視聴予測に基づき、対応するＷｅｂ広告コンテンツを、ユーザ端末５０に配信する場合における、情報処理システムの一連の処理の流れの一例について説明する。図６は、本実施形態に係る情報処理システムの一連の処理の流れの他の一例について示したフローチャートであり、放送広告コンテンツの視聴予測に基づき、対応するＷｅｂ広告コンテンツを配信する場合の動作の一例を示している。
【０１４２】
（ステップＳ３０１）
放送受信機７０は、ユーザにより今後視聴されることが予測される放送コンテンツの情報（即ち、視聴予測）を記録情報として記録する。具体的な一例として、放送受信機７０は、視聴履歴に基づきユーザが習慣的に視聴している放送の情報に基づき、当該ユーザが今後視聴することが予測される放送の情報を、記録情報として記録してもよい。また、放送受信機７０は、録画予約の情報に基づき、ユーザが今後視聴することが予測される放送の情報を、記録情報として記録してもよい。放送受信機７０は、記録した記録情報（即ち、放送広告コンテンツの視聴予測）を当該識別情報と関連付けて、ログ管理サーバ１０に送信する。
【０１４３】
ログ管理サーバ１０の収集部１０３は、放送受信機７０から、当該放送受信機７０で管理されている記録情報（即ち、放送コンテンツの視聴予測）と、当該放送受信機７０に割り当てられた識別情報とを取得する。収集部１０３は、放送受信機７０から取得した記録情報を、識別情報ごとに視聴情報生成部１０５に出力する。
【０１４４】
（ステップＳ３０３）
視聴情報生成部１０５は、収集部１０３により収集された記録情報を、識別情報ごとに当該収集部１０３から取得する。また、視聴情報生成部１０５は、記憶部１１にあらかじめ記憶された、各放送広告コンテンツの放送予定を示す放送管理情報を読み出す。なお、放送予定には、例えば、今後放送が予定された放送広告コンテンツの放送日時や放送されるチャンネルを示す情報が含まれる。
【０１４５】
視聴情報生成部１０５は、識別情報ごとに取得した記録情報と、記憶部１１から読み出した放送管理情報とに基づき、各放送広告コンテンツの視聴予測を含む視聴情報を生成または更新する。そして、視聴情報生成部１０５は、生成または更新した視聴情報を、記憶部１１に記憶させる。
【０１４６】
（ステップＳ３０５）
ユーザ端末５０は、ユーザからの操作を受けて、インターネット等のネットワークを介して各種コンテンツ（例えば、Ｗｅｂサイト等に掲載されたコンテンツ等）を取得し、取得したコンテンツをユーザに提示するための各種機能を実行する。
【０１４７】
（ステップＳ３０７）
また、放送受信機７０は、あらかじめ関連付けられたユーザ端末５０に対して、自身に割り当てられた識別情報を通知する。
【０１４８】
（ステップＳ３０９）
ユーザ端末５０は、放送受信機７０から識別情報を取得し、取得した識別情報を広告配信サーバ３０に送信する。
【０１４９】
（ステップＳ３１１）
広告配信サーバ３０の配信対象特定部３０３は、Ｗｅｂ広告コンテンツの配信対象となるユーザ端末５０から、当該ユーザ端末５０のユーザに対応する識別情報を取得する。配信対象特定部３０３は、取得した識別情報に基づき、当該識別情報に対応するユーザによる、放送広告コンテンツの視聴予測を示す情報を取得するためのリクエストを生成し、当該リクエストをログ管理サーバ１０に送信する。
【０１５０】
（ステップＳ３１３）
ログ管理サーバ１０のリクエスト処理部１０７は、リクエストとして、識別情報に対応するユーザの視聴予測の抽出に係る指示を、当該識別情報とともに、広告配信サーバ３０から取得する。リクエスト処理部１０７は、取得した識別情報に関連付けられた視聴情報を記憶部１１から検索し、検索された視聴情報から各放送広告コンテンツの視聴予測を示す情報を抽出する。
【０１５１】
（ステップＳ３１５）
リクエスト処理部１０７は、抽出した各放送広告コンテンツの視聴予測を示す情報を、リクエストの送信元である広告配信サーバ３０に、当該リクエストに対するレスポンスとして送信する。
【０１５２】
（ステップＳ３１７）
配信対象特定部３０３は、ログ管理サーバ１０に送信したリクエストに対するレスポンスとして、当該ログ管理サーバ１０から、送信した識別情報が示すユーザの放送広告コンテンツの視聴予測を示す情報を取得する。これにより、配信対象特定部３０３は、識別情報が示すユーザによる各放送広告コンテンツの視聴予測を認識することが可能となる。
【０１５３】
次いで、配信対象特定部３０３は、識別情報が示すユーザによる各放送広告コンテンツの視聴予測の認識結果に基づき、当該識別情報の取得元であるユーザ端末５０への配信対象となるＷｅｂ広告コンテンツを特定する。
【０１５４】
具体的には、まず、配信対象特定部３０３は、各放送広告コンテンツの視聴予測の認識結果から、所定の条件に基づき、当該放送広告コンテンツに関連付けられたＷｅｂ広告コンテンツを配信対象とする広告コンテンツの候補を抽出する。
【０１５５】
具体的な一例として、配信対象特定部３０３は、各放送広告コンテンツの視聴時期に基づき、Ｗｅｂ広告コンテンツを配信対象とする広告コンテンツの候補を抽出する。さらに具体的な一例として、配信対象特定部３０３は、あらかじめ決められた期間内に、放送広告コンテンツへのユーザの接触が予測される広告コンテンツを抽出してもよい。このような抽出結果を利用することで、例えば、放送広告コンテンツへの接触が予測されるユーザが、あらかじめ、当該放送広告コンテンツに対応するＷｅｂ広告コンテンツに接触するように制御することが可能となる。また、配信対象特定部３０３は、識別情報に対応するユーザの属性情報に基づき、Ｗｅｂ広告コンテンツを配信対象とする広告コンテンツの候補を絞り込んでもよい。
【０１５６】
以上のようにして、配信対象特定部３０３は、Ｗｅｂ広告コンテンツを配信対象とする広告コンテンツの候補を抽出し、抽出された候補の中から、Ｗｅｂ広告コンテンツの配信対象となる広告コンテンツを特定する。
【０１５７】
なお、配信対象特定部３０３は、各広告コンテンツに対する広告主からの入札をあらかじめ受けて、抽出された広告コンテンツの候補の中から、各候補に対する入札に関する情報に基づき、Ｗｅｂ広告コンテンツの配信対象となる広告コンテンツを特定してもよい。
【０１５８】
配信対象特定部３０３は、各放送広告コンテンツの視聴実績に応じて広告コンテンツを特定すると、当該広告コンテンツに対応するＷｅｂ広告コンテンツを、識別情報の取得元であるユーザ端末５０への配信対象として特定する。そして、配信対象特定部３０３は、配信対象として特定したＷｅｂ広告コンテンツを示す情報と、当該Ｗｅｂ広告コンテンツの配信先となるユーザ端末５０の情報とを、配信制御部３０５に通知する。
【０１５９】
なお、以降のステップＳ３１９〜Ｓ３２３に係る処理は、図４を参照して前述した、ステップＳ１１９〜Ｓ１２３に係る処理と同様である。そのため、詳細な説明は省略する。
【０１６０】
以上、図６を参照して、放送広告コンテンツの視聴予測に基づき、対応するＷｅｂ広告コンテンツを、ユーザ端末５０に配信する場合における、情報処理システムの一連の処理の流れの一例について説明した。
【０１６１】
以上のような制御により、広告配信サーバ３０は、図５に示すように、ある放送広告コンテンツの視聴が予測されるユーザが、当該放送広告コンテンツに関連付けられたＷｅｂ広告コンテンツを事前に接触するように制御することが可能となる。
【０１６２】
＜４．変形例＞
次に、本実施形態に係る情報処理システムの変形例について説明する。
【０１６３】
［４．１．変形例１：記録情報の一例］
まず、変形例１として、記録情報として記録される情報の一例について説明する。前述した実施形態に係る情報処理システムでは、ログ管理サーバ１０は、記録情報として記録された放送コンテンツの放送日時や放送チャンネルと、放送管理情報として記録された放送広告コンテンツの放送日時や放送チャンネルとを照合することで、当該放送広告コンテンツの視聴状況を特定していた。
【０１６４】
一方で、放送広告コンテンツの視聴状況（即ち、視聴実績や視聴予測）を特定可能であれば、放送受信機７０により記録情報として記録される内容は、必ずしも放送日時や放送チャンネルを示す情報には限定されない。
【０１６５】
具体的な一例として、放送受信機７０は、ユーザにより視聴された放送コンテンツ（ひいては、放送広告コンテンツ）の特徴量を記録情報として記録してもよい。なお、放送コンテンツの特徴量としては、放送コンテンツに含まれる音響情報（例えば、音声、音楽、効果音等）や、画像情報（例えば、静止画像、動画像等）等のデータから抽出可能な特徴が挙げられる。
【０１６６】
この場合には、ログ管理サーバ１０は、記録情報として記録された特徴量と、あらかじめ取得した放送広告コンテンツの特徴量とを照合することで、当該放送広告コンテンツの視聴状況を認識すればよい。
【０１６７】
また、他の一例として、放送受信機７０は、放送コンテンツ（ひいては、放送広告コンテンツ）に対して属性情報が関連付けられている場合には、当該属性情報を記録情報として記録してもよい。
【０１６８】
この場合には、ログ管理サーバ１０は、記録情報として記録された属性情報と、あらかじめ取得した放送広告コンテンツの属性情報とを照合することで、当該放送広告コンテンツの視聴状況を認識すればよい。
【０１６９】
以上、変形例１として、記録情報として記録される情報の一例について説明した。
【０１７０】
［４．２．変形例２：配信対象の特定方法の一例］
次に、変形例２として、広告配信サーバ３０が、放送広告コンテンツの視聴状況に応じて、配信対象となるＷｅｂ広告コンテンツの候補を特定する動作の一例について説明する。具体的には、広告配信サーバ３０は、単一の放送広告コンテンツの視聴状況に限らず、複数の放送広告コンテンツの視聴状況に応じて、配信対象の候補となるＷｅｂ広告コンテンツを特定してもよい。
【０１７１】
具体的な一例として、広告配信サーバ３０は、特定の商品に対して複数の放送広告コンテンツが放送されている場合には、当該複数の放送広告コンテンツの視聴状況を集計し、集計結果に応じて、配信対象の候補となるＷｅｂ広告コンテンツを特定してもよい。より具体的な一例として、広告配信サーバ３０は、特定の商品に関する複数の放送広告コンテンツそれぞれの視聴回数の合計を算出し、算出された回数に基づき、当該商品に関するＷｅｂ広告コンテンツがユーザに対して提示される回数が制御されるように、配信対象の候補となるＷｅｂ広告コンテンツを特定してもよい。
【０１７２】
この場合には、広告配信サーバ３０は、集計対象となる放送広告コンテンツをあらかじめ分類し、当該分類に対してＷｅｂ広告コンテンツをあらかじめ関連付けておけばよい。そして、広告配信サーバ３０は、分類ごとに、当該分類に含まれる広告コンテンツの視聴状況を分析し、分析結果に応じて、配信対象の候補となるＷｅｂ広告コンテンツを特定すればよい。
【０１７３】
なお、広告配信サーバ３０が、複数の放送広告コンテンツの視聴状況に応じて、配信対象の候補となるＷｅｂ広告コンテンツを特定できれば、当該複数の放送広告コンテンツの分類方法は特に限定されない。
【０１７４】
具体的な一例として、広告配信サーバ３０は、協業関係にある複数の広告主それぞれに対応する放送広告コンテンツの視聴状況を集計し、集計結果に応じて、配信対象の候補となるＷｅｂ広告コンテンツを特定してもよい。
【０１７５】
また、他の一例として、広告配信サーバ３０は、特定の種別の商品に関する放送広告コンテンツ（例えば、競合他社の放送広告コンテンツ）の視聴状況を集計し、集計結果に応じて、配信対象の候補となるＷｅｂ広告コンテンツを特定してもよい。
【０１７６】
以上、変形例２として、広告配信サーバ３０が、放送広告コンテンツの視聴状況に応じて、配信対象となるＷｅｂ広告コンテンツの候補を特定する動作の一例について説明した。
【０１７７】
［４．３．変形例３：番組内で提示された情報の利用］
次に、変形例３として、番組（即ち、放送コンテンツ）内で提示された広告対象に関する情報を利用して、配信対象となるＷｅｂ広告コンテンツの候補の特定に利用する場合の例について説明する。
【０１７８】
前述した実施形態では、広告配信サーバ３０が、放送広告コンテンツという独立したコンテンツの視聴状況に応じて、配信対象の候補となるＷｅｂ広告コンテンツを特定する例について説明した。一方で、近年では、番組（放送コンテンツ）内において、商品の紹介をするコーナーが設けられている場合もあり、当該コーナーが、放送広告コンテンツと同様の役割を果たす場合もある。
【０１７９】
そこで、変形例３に係る情報処理システムでは、番組内で提示された広告対象に関する情報に対するユーザの接触（換言すると、ユーザによる当該情報の視聴状況）を、配信対象となるＷｅｂ広告コンテンツの候補の特定に利用する。
【０１８０】
具体的な一例として、ログ管理サーバ１０は、放送受信機７０から取得した記録情報（例えば、放送広告コンテンツの視聴履歴）に基づき、ユーザが視聴した番組を特定し、特定結果を、あらかじめ取得しておいた各番組の放送内容を示す情報（即ち、当該番組内で提示される広告対象に関する情報）と照合する。これにより、ログ管理サーバ１０は、番組内で提示された広告対象に関する情報に対するユーザの接触を検出し、当該情報の視聴状況として利用することが可能となる。
【０１８１】
また、他の一例として、ログ管理サーバ１０は、記録情報に基づき、特定したユーザが視聴した番組を特定し、特定した当該番組の放送内容を解析することで、当該番組中に提示されていた広告対象に関する情報に対するユーザの接触を検出してもよい。より具体的な一例として、ログ管理サーバ１０は、番組として放送された音響情報を解析することで、当該音響情報に対して広告対象を示す音声を抽出し、抽出結果に基づき、当該広告対象に関する情報に対するユーザの接触を検出してもよい。また、ログ管理サーバ１０は、番組として放送された映像情報を解析することで、当該映像中に含まれる広告対象を抽出し、抽出結果に基づき、当該広告対象に関する情報に対するユーザの接触を検出してもよい。
【０１８２】
また、他の一例として、番組に対して、当該番組内で提示された内容を示す情報（例えば、属性情報）が関連付けられている場合には、ログ管理サーバ１０は、当該情報を利用してもよい。具体的には、ログ管理サーバ１０は、番組に対して関連付けられた情報から、広告対象に関連する情報を抽出し、抽出結果に基づき、当該広告対象に関する情報に対するユーザの接触を検出してもよい。
【０１８３】
以上、変形例３として、番組内で提示された広告対象に関する情報を利用して、配信対象となるＷｅｂ広告コンテンツの候補の特定に利用する場合の例について説明した。なお、上述した各処理の主体は、必ずしもログ管理サーバ１０には限定されない。具体的な一例として、上記に説明した各処理のうち、一部または全部をログ管理サーバ１０とは異なる構成（例えば、広告配信サーバ３０）が実行してもよい。
【０１８４】
［４．４．変形例４：放送報告コンテンツへの誘導］
次に、変形例４として、今後放送が予定されている放送広告コンテンツに対して接触するように、ユーザを誘導するための制御の一例について説明する。
【０１８５】
前述したように、放送広告コンテンツに対するユーザへの接触を直接的に制御することは困難である。これに対して、変形例４に係る情報処理システムは、今後放送が予定されている番組（即ち、放送コンテンツ）のうち、対象となる放送広告コンテンツがあわせて放送される番組を視聴するようにユーザを誘導することで、当該ユーザが、当該放送広告コンテンツに接触するように誘導する。
【０１８６】
具体的な一例として、変形例４に係る広告配信サーバ３０は、放送広告コンテンツの視聴状況を示す情報と、あらかじめ決められた条件とに基づき、対象となる放送広告コンテンツを特定する。
【０１８７】
次いで、広告配信サーバ３０は、今後放送が予定された番組の中から、特定した放送広告コンテンツがあわせて放送される番組を特定する。具体的には、広告配信サーバ３０は、番組ごとに、当該番組とあわせて放送される放送広告コンテンツが提示された制御情報をあらかじめ取得しておき、当該制御情報に基づき、特定した放送広告コンテンツがあわせて放送される番組を特定すればよい。
【０１８８】
対象となる番組を特定すると、広告配信サーバ３０は、特定した番組に関する情報をユーザ端末５０に配信することで、当該番組を視聴するようにユーザを誘導する。具体的な一例として、広告配信サーバ３０は、特定した番組のＷｅｂ広告コンテンツをユーザ端末５０に配信することで、当該番組を視聴するようにユーザを誘導してもよい。
【０１８９】
なお、広告配信サーバ３０が特定した番組を視聴するようにユーザを誘導することが可能であれば、当該広告配信サーバ３０が、ユーザ端末５０に配信する情報の種別や、ユーザ端末５０が当該情報をユーザに提示する方法は特に限定されない。具体的な一例として、ユーザ端末５０は、所定のアプリケーションの一機能として放送広告コンテンツを推薦する機能を有している場合には、広告配信サーバ３０からの情報に基づき、特定された番組を優先的にユーザに対して推薦するように動作してもよい。また、上記では、広告配信サーバ３０がユーザ端末５０に情報を配信する例について説明したが、広告配信サーバ３０がユーザに対して情報を提示することが可能であれば、当該情報の配信先は、必ずしもユーザ端末５０には限定されない。具体的な一例として、広告配信サーバ３０は、放送受信機７０に情報を配信してもよい。
【０１９０】
以上、変形例４として、今後放送が予定されている放送広告コンテンツに対して接触するように、ユーザを誘導するための制御の一例について説明した。以上のような制御により、広告配信サーバ３０は、特定した番組を視聴するようにユーザを誘導することで、当該番組とあわせて放送される放送広告コンテンツに対して接触するように、当該ユーザを誘導することが可能となる。
【０１９１】
＜５．実施例＞
次に、本実施形態に係る情報処理システムの実施例について説明する。前述したように、本実施形態に係る情報処理システムは、Ｗｅｂ広告コンテンツにユーザを接触させることが可能であれば、その方法や媒体は、必ずしも所謂バナー広告によるものには限定されない。
【０１９２】
そこで、実施例として、本実施形態に係る情報処理システムが、所謂ＶＯＤ（Video  On  Demand）と呼ばれるサービスを利用して、Ｗｅｂ広告コンテンツを配信する（即ち、Ｗｅｂ広告コンテンツに対してユーザを接触させる）場合の一例について説明する。ここで、ＶＯＤとは、視聴者が観たいときに映像コンテンツを視聴できるように、同映像コンテンツを、インターネット等のネットワークを介して配信するサービスを示している。なお、以降では、ＶＯＤにより配信される映像コンテンツを、「ＶＯＤコンテンツ」と称する場合がある。
【０１９３】
例えば、図７は、本実施形態に係る情報処理システムの実施例について説明するための説明図であり、当該情報処理システムが、ＶＯＤにより配信されるＶＯＤコンテンツ中に提示されるＷｅｂ広告コンテンツを制御する場合の一例を示している。
【０１９４】
図７に示すように、ＶＯＤコンテンツは、放送波を利用して放送される放送コンテンツと同様に、映像コンテンツの合間に広告コンテンツ（この場合には、Ｗｅｂ広告コンテンツ）を差し込むことが可能である。また、ＶＯＤコンテンツは、映像コンテンツの合間に広告コンテンツを制御可能に構成されている場合もある。そこで、本実施形態に係る情報処理システムは、図７に示すように、ＶＯＤコンテンツに差し込まれる広告コンテンツ（即ち、Ｗｅｂ広告コンテンツ）を、当該ＶＯＤコンテンツを視聴するユーザによる、放送広告コンテンツの視聴状況に応じて制御してもよい。
【０１９５】
具体的な一例として、広告配信サーバ３０は、図７に示すように、放送受信機７０に記録された、当該放送受信機７０に対応するユーザ（例えば、放送受信機７０のオーナー）による放送コンテンツの視聴履歴に基づき生成された、放送広告コンテンツの視聴実績を取得する。次いで、広告配信サーバ３０は、取得した放送広告コンテンツの視聴実績に基づきＷｅｂ広告コンテンツを特定する。そして、広告配信サーバ３０は、Ｗｅｂ広告コンテンツの特定結果に応じて、ＶＯＤコンテンツを視聴する当該ユーザが、特定したＷｅｂ広告コンテンツに接触するように、当該ＶＯＤコンテンツ中に差し込まれるＷｅｂ広告コンテンツを制御すればよい。
【０１９６】
なお、図７に示す制御はあくまで一例であり、必ずしも同制御に限定されるものではない。具体的な一例として、広告配信サーバ３０は、放送広告コンテンツの視聴予測に基づき、ＶＯＤコンテンツ中に差し込むＷｅｂ広告コンテンツを特定してもよい。
【０１９７】
もちろん、上記に説明したＶＯＤコンテンツは、あくまで、Ｗｅｂ広告コンテンツにユーザを接触させるための媒体の一例にすぎず、ネットワークを介してＷｅｂ広告コンテンツをユーザに提示可能な媒体であれば、その種別は特に限定されない。
【０１９８】
以上、本実施形態に係る情報処理システムの実施例として、図７を参照して、当該情報処理システムが、所謂ＶＯＤと呼ばれるサービスを利用して、Ｗｅｂ広告コンテンツを配信する場合の一例について説明した。
【０１９９】
＜６．ハードウェア構成＞
次に、図８を参照して、本開示の各実施形態に係るログ管理サーバ１０、広告配信サーバ３０、及びユーザ端末５０等のような情報処理装置９０のハードウェア構成の一例について説明する。図８は、本開示の実施形態に係る情報処理装置９０のハードウェア構成の一例を示した図である。
【０２００】
図８に示すように、本実施形態に係る情報処理装置９０は、プロセッサ９０１と、メモリ９０３と、ストレージ９０５と、操作デバイス９０７と、表示デバイス９０９と、通信デバイス９１５と、バス９１７とを含む。
【０２０１】
プロセッサ９０１は、例えばＣＰＵ（Central  Processing  Unit）、ＧＰＵ（Graphics  Processing  Unit）、ＤＳＰ（Digital  Signal  Processor）又はＳｏＣ（System  on  Chip）であってよく、情報処理装置９０の様々な処理を実行する。プロセッサ９０１は、例えば、各種演算処理を実行するための電子回路により構成することが可能である。なお、前述したログ管理サーバ１０における、収集部１０３、視聴情報生成部１０５、及びリクエスト処理部１０７は、プロセッサ９０１により実現され得る。同様に、前述した広告配信サーバ３０における、配信対象特定部３０３、配信制御部３０５、及び配信実績記録部３０７は、プロセッサ９０１により実現され得る。
【０２０２】
メモリ９０３は、ＲＡＭ（Random  Access  Memory）及びＲＯＭ（Read  Only  Memory）を含み、プロセッサ９０１により実行されるプログラム及びデータを記憶する。ストレージ９０５は、半導体メモリ又はハードディスクなどの記憶媒体を含み得る。なお、前述した記憶部１１及び３１は、メモリ９０３及びストレージ９０５の少なくともいずれか、もしくは、双方の組み合わせにより実現され得る。
【０２０３】
操作デバイス９０７は、ユーザが所望の操作を行うための入力信号を生成する機能を有する。操作デバイス９０７は、例えば、タッチパネルとして構成され得る。また、他の一例として、操作デバイス９０７は、例えばボタン及びスイッチなどユーザが情報を入力するための入力部と、ユーザによる入力に基づいて入力信号を生成し、プロセッサ９０１に供給する入力制御回路などから構成されてよい。
【０２０４】
表示デバイス９０９は、出力デバイスの一例であり、例えば、液晶ディスプレイ（ＬＣＤ：Liquid  Crystal  Display）装置、有機ＥＬ（ＯＬＥＤ：Organic  Light  Emitting  Diode）ディスプレイなどのデバイスであってよい。即ち、表示デバイス９０９は、画面を表示することにより、ユーザに対して所定の情報を報知することができる。
【０２０５】
通信デバイス９１５は、情報処理装置９０が備える通信手段であり、ネットワークを介して外部装置と通信する。通信デバイス９１５は、有線または無線用の通信インタフェースである。通信デバイス９１５を、無線通信インタフェースとして構成する場合には、当該通信デバイス９１５は、通信アンテナ、ＲＦ（Radio  Frequency）回路、ベースバンドプロセッサなどを含んでもよい。
【０２０６】
通信デバイス９１５は、外部装置から受信した信号に各種の信号処理を行う機能を有し、受信したアナログ信号から生成したデジタル信号をプロセッサ９０１に供給することが可能である。なお、前述したログ管理サーバ１０の通信部１０１や、広告配信サーバ３０の通信部３０１は、通信デバイス９１５により実現され得る。
【０２０７】
バス９１７は、プロセッサ９０１、メモリ９０３、ストレージ９０５、操作デバイス９０７、表示デバイス９０９、及び通信デバイス９１５を相互に接続する。バス９１７は、複数の種類のバスを含んでもよい。
【０２０８】
また、コンピュータに内蔵されるプロセッサ、メモリ、及びストレージなどのハードウェアを、上記した情報処理装置９０が有する構成と同等の機能を発揮させるためのプログラムも作成可能である。また、当該プログラムを記録した、コンピュータに読み取り可能な記憶媒体も提供され得る。
【０２０９】
＜７．まとめ＞
本実施形態に係る情報処理システムでは、各放送広告コンテンツの視聴状況（即ち、視聴実績または視聴予測）に応じて、当該放送広告コンテンツに関連付けられたＷｅｂ広告コンテンツの配信を制御する。このような構成により、本実施形態に係る情報処理システムは、放送広告コンテンツへのユーザの接触を制御することが困難な状況下においても、Ｗｅｂ広告コンテンツの配信を制御することで、関連する広告コンテンツへの当該ユーザの接触を制御することが可能となる。これにより、本実施形態に係る情報処理システムに依れば、放送広告コンテンツの放送とＷｅｂ広告コンテンツの配信とをより緊密に連携させ、広告コンテンツに対してユーザをより効率的に接触させることが可能となる。
【０２１０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０２１１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２１２】
なお、以下のような構成も本開示の技術的範囲に属する。
（１）
放送波を用いて放送されるコンテンツの視聴状況を示す第１の情報を、識別情報が関連付けられた外部装置から、当該識別情報ごとに取得する取得部と、
前記識別情報ごとに取得された前記第１の情報と、放送波を用いて放送される第１の広告コンテンツの放送実績または放送予定を示す情報とに基づき、前記第１の広告コンテンツの視聴状況を示す第２の情報を生成する生成部と、
指定された条件に対応する前記第２の情報を抽出する抽出部と、
前記第１の広告コンテンツに関連付けられた、ネットワークを介して配信される第２の広告コンテンツを特定するための情報として、抽出された前記第２の情報を出力する出力部と、
を備える、情報処理装置。
（２）
前記第１の情報は、放送波を用いて放送されるコンテンツの視聴履歴を含み、
前記生成部は、前記第１の情報と、前記第１の広告コンテンツの放送実績を示す情報とを比較することで、当該第１の広告コンテンツの視聴実績を示す前記第２の情報を生成する、前記（１）に記載の情報処理装置。
（３）
前記第１の情報は、放送波を用いて放送されるコンテンツの視聴予測を含み、
前記生成部は、前記第１の情報と、前記第１の広告コンテンツの放送予定を示す情報とを比較することで、当該第１の広告コンテンツの視聴予測を示す前記第２の情報を生成する、前記（１）に記載の情報処理装置。
（４）
前記第２の情報の出力先から前記識別情報ごとに通知される、前記第２の広告コンテンツの配信状況を、当該第２の広告コンテンツに対して関連付けられた前記第１の広告コンテンツの視聴状況に関連付けることで、当該第２の情報を更新する更新部を備える、前記（１）〜（３）のいずれか一項に記載の情報処理装置。
（５）
クライアントからネットワークを介して取得された識別情報に基づき、放送波を用いて放送される第１の広告コンテンツの視聴状況を示す情報を取得する取得部と、
前記第１の広告コンテンツに対して関連付けられた、ネットワークを介して配信される第２の広告コンテンツを、取得された前記視聴状況を示す情報に基づき特定する特定部と、
を備える、情報処理装置。
（６）
前記特定部は、前記視聴状況を示す情報に基づき特定した前記第２の広告コンテンツの中から、あらかじめ決められた条件に基づき、前記クライアントへの配信対象の候補となる前記第２の広告コンテンツを抽出する、前記（５）に記載の情報処理装置。
（７）
前記特定部は、前記視聴状況を示す情報に基づき特定した前記第２の広告コンテンツの中から、視聴回数が所定の条件を満たす前記第１の広告コンテンツに関連付けられた前記第２の広告コンテンツを、前記候補として抽出する、前記（６）に記載の情報処理装置。
（８）
前記特定部は、前記視聴状況を示す情報に基づき特定した前記第２の広告コンテンツの中から、視聴回数が０回である前記第１の広告コンテンツに対して関連付けられた前記第２の広告コンテンツを、前記候補として抽出する、前記（７）に記載の情報処理装置。
（９）
前記特定部は、前記視聴状況を示す情報に基づき特定した前記第２の広告コンテンツの中から、当該前記第２の広告コンテンツそれぞれが配信対象とするユーザの属性情報と、前記識別情報に関連付けられたユーザの属性情報とに基づき、前記候補を抽出する、前記（６）〜（８）のいずれか一項に記載の情報処理装置。
（１０）
前記視聴状況を示す情報は、前記第１の広告コンテンツの視聴実績を含む、前記（６）〜（９）のいずれか一項に記載の情報処理装置。
（１１）
前記特定部は、前記視聴状況を示す情報に含まれた、前記第１の広告コンテンツが視聴された時期に応じて、当該第１の広告コンテンツに関連付けられた前記第２の広告コンテンツを特定する、前記（１０）に記載の情報処理装置。
（１２）
前記視聴状況を示す情報は、前記第１の広告コンテンツの視聴予測を含む、前記（６）〜（９）のいずれか一項に記載の情報処理装置。
（１３）
前記特定部は、前記視聴状況を示す情報に含まれた、前記第１の広告コンテンツの視聴が予測される時期に応じて、当該第１の広告コンテンツに関連付けられた前記第２の広告コンテンツを特定する、前記（１２）に記載の情報処理装置。
（１４）
特定された前記第２の広告コンテンツを、前記クライアントに配信する配信部を備える、前記（５）〜（１３）のいずれか一項に記載の情報処理装置。
（１５）
前記識別情報の取得元である前記クライアントへの前記第２の広告コンテンツの配信状況を含む情報と、当該識別情報とを関連付けて、前記視聴状況を示す情報の取得元に通知する通知部を備える、前記（１４）のいずれか一項に記載の情報処理装置。
（１６）
前記特定部は、取得された前記視聴状況を示す情報に基づき、前記第１の広告コンテンツに関連付けられた前記第２の広告コンテンツを特定できなかった場合に、当該第２の広告コンテンツに関連付けられた他の第２の広告コンテンツを特定する、前記（５）〜（１５）のいずれか一項に記載の情報処理装置。
（１７）
外部装置から取得した識別情報を、ネットワークを介してサーバに通知する通知部と、
放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得する取得部と、
を備える、情報処理装置。
（１８）
プロセッサが、
外部装置から取得した識別情報を、ネットワークを介してサーバに通知することと、
放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得することと、
を含む、情報処理方法。
（１９）
コンピュータに、
外部装置から取得した識別情報を、ネットワークを介してサーバに通知することと、
放送波を用いて放送される第１の広告コンテンツの視聴状況のうち、前記識別情報に関連付けられた前記視聴状況に基づき特定された、前記第１の広告コンテンツに対して関連付けられた第２の広告コンテンツを、前記ネットワークを介して前記サーバから取得することと、
を実行させる、プログラム。
【符号の説明】
【０２１３】
１０    ログ管理サーバ
１０１  通信部
１０３  収集部
１０５  視聴情報生成部
１０７  リクエスト処理部
１１    記憶部
３０    広告配信サーバ
３０１  通信部
３０３  配信対象特定部
３０５  配信制御部
３０７  配信実績記録部
３１    記憶部
５０    ユーザ端末
７０    放送受信機
７１    記憶部
８０    放送局
９０    情報処理装置
【図１】
2020205597.tif 000003
【図２】
2020205597.tif 000004
【図３】
2020205597.tif 000005
【図４】
2020205597.tif 000006
【図５】
2020205597.tif 000007
【図６】
2020205597.tif 000008
【図７】
2020205597.tif 000009
【図８】
2020205597.tif 000010
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
放送波を用いて放送される第１の広告コンテンツを受信する放送受信装置から取得した識別情報を、ネットワークを介して広告配信サーバに通知する通知部と、
前記第１の広告コンテンツの視聴状況と前記識別情報に基づいて、前記第１の広告コンテンツに関連する第２の広告コンテンツを、前記ネットワークを介して前記広告配信サーバから取得する取得部と、
を備え、
前記視聴状況は、
前記第１の広告コンテンツの放送予定を示す情報に基づく情報を含む、
情報処理装置。
【請求項２】
前記視聴状況は、前記識別情報に関連付けられ、
前記放送波を用いて放送されるコンテンツの視聴予測を含む第１の情報と、前記第１の広告コンテンツの放送予定を示す情報とに基づく情報を含む、
請求項１に記載の情報処理装置。
【請求項３】
前記視聴状況は、前記識別情報に関連付けられ、
前記放送波を用いて放送されるコンテンツの視聴予測を含む第１の情報と、前記第１の広告コンテンツの放送予定を示す情報とに基づいて生成された前記第１の広告コンテンツの視聴予測を示す第２の情報を含む、
請求項１に記載の情報処理装置。
【請求項４】
放送波を用いて放送される第１の広告コンテンツを受信する放送受信装置から取得した識別情報を、ネットワークを介して広告配信サーバに通知する通知ステップと、
前記第１の広告コンテンツの視聴状況と前記識別情報に基づいて、前記第１の広告コンテンツに関連する第２の広告コンテンツを、前記ネットワークを介して前記広告配信サーバから取得する取得ステップと、
を含み、
前記視聴状況は、
前記第１の広告コンテンツの放送予定を示す情報に基づく情報を含む、
情報処理方法。
【請求項５】
放送波を用いて放送される第１の広告コンテンツを受信する放送受信装置から取得した識別情報を、ネットワークを介して広告配信サーバに通知する通知部と、
前記第１の広告コンテンツの視聴状況と前記識別情報に基づいて、前記第１の広告コンテンツに関連する第２の広告コンテンツを、前記ネットワークを介して前記広告配信サーバから取得する取得部と、
を備える情報処理装置と、
前記放送受信装置と、
を含み、
前記視聴状況は、
前記第１の広告コンテンツの放送予定を示す情報に基づく情報を含む、
情報処理システム。
【請求項６】
前記放送受信装置は、ログ管理サーバに識別情報を送信する、
請求項５に記載の情報処理システム。
【請求項７】
ログ管理サーバと、広告配信サーバとを含み、
前記ログ管理サーバは、
放送波を用いて放送される第１の広告コンテンツを受信する放送受信装置から取得した、放送波を用いて放送されるコンテンツに関する情報と、前記第１の広告コンテンツの放送予定を示す情報とに基づき、前記第１の広告コンテンツの視聴状況を示す情報を生成する生成部と、
前記第１の広告コンテンツの視聴状況を示す情報を前記広告配信サーバへ出力する出力部と、
を備え、
前記広告配信サーバは、
ユーザ端末からネットワークを介して取得された識別情報に基づき、前記第１の広告コンテンツの視聴状況を示す情報を取得する取得部と、
前記第１の広告コンテンツに関連付けられた、ネットワークを介して配信される第２の広告コンテンツを、取得された前記視聴状況を示す情報に基づいて前記ユーザ端末に送信する送信部と、
を備える、情報処理システム。
【請求項８】
前記視聴状況は、前記識別情報に関連付けられ、
前記放送波を用いて放送されるコンテンツの視聴予測を含む第１の情報と、前記第１の広告コンテンツの放送予定を示す情報とに基づく情報を含む、
請求項７に記載の情報処理システム。
【請求項９】
前記視聴状況は、前記識別情報に関連付けられ、
前記放送波を用いて放送されるコンテンツの視聴予測を含む第１の情報と、前記第１の広告コンテンツの放送予定を示す情報とに基づいて生成された前記第１の広告コンテンツの視聴予測を示す第２の情報を含む、
請求項７に記載の情報処理システム。
【請求項１０】
ログ管理サーバが、
放送波を用いて放送される第１の広告コンテンツを受信する放送受信装置から取得した、放送波を用いて放送されるコンテンツに関する情報と、前記第１の広告コンテンツの放送予定を示す情報とに基づき、前記第１の広告コンテンツの視聴状況を示す情報を生成する生成ステップと、
前記第１の広告コンテンツの視聴状況を示す情報を広告配信サーバへ出力する出力ステップと、
を含み
前記広告配信サーバが、
ユーザ端末からネットワークを介して取得された識別情報に基づき、前記第１の広告コンテンツの視聴状況を示す情報を取得する取得ステップと、
前記第１の広告コンテンツに関連付けられた、ネットワークを介して配信される第２の広告コンテンツを、取得された前記視聴状況を示す情報に基づいて前記ユーザ端末に送信する送信ステップと、
を含む、情報処理方法。
【請求項１１】
前記第２の広告コンテンツは、前記第１の広告コンテンツの対象である物品に関する、前記第１の広告コンテンツとは異なる広告コンテンツである、
請求項１に記載の情報処理装置。
【請求項１２】
前記第２の広告コンテンツは、ネットワークを介して配信される映像コンテンツに挿入される、
請求項１に記載の情報処理装置。
【手続補正３】
【補正対象書類名】明細書
【補正対象項目名】０００１
【補正方法】変更
【補正の内容】
【０００１】
本開示は、情報処理装置、情報処理方法、及び情報処理システムに関する。